【事件の表示】
　特願２０１５−１４３０５３「認証システム」拒絶査定不服審判事件〔平成２９年　２月　２日出願公開，特開２０１７−　２７２０７〕について，次のとおり審決する。
【結　論】
　本件審判の請求は，成り立たない。
【理　由】
第１．手続の経緯
　本願は，平成２７年７月１７日の出願であって，
　平成２８年３月１７日付けで審査請求がなされ，平成２９年４月２６日付けで審査官により拒絶理由が通知され，これに対して平成２９年７月６日付けで意見書が提出されると共に手続補正がなされたが，平成２９年１２月８日付けで審査官により拒絶査定がなされ（謄本送達；平成２９年１２月１５日），これに対して平成３０年２月１９日付けで審判請求がなされると共に手続補正がなされ，平成３０年３月１４日付けで審査官により特許法第１６４条第３項の規定に基づく報告がなされたものである。
　
第２．平成３０年２月１９日付けの手続補正の却下の決定
　
　［補正却下の決定の結論］
　
　平成３０年２月１９日付け手続補正を却下する。
　
　［理由］
　
１．補正の内容
　平成３０年２月１９日付けの手続補正（以下，「本件手続補正」という）により，平成２９年７月６日付けの手続補正により補正された特許請求の範囲，
「　【請求項１】
　利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，
　ネットワークを介して前記認証サーバと通信する通信機能と移動体通信網を介して前記第２の通信端末装置と通信する通信機能とを有する自動音声応答装置と，を備え，
　前記認証サーバは，予め登録された利用者の第２の通信端末装置の端末識別情報を記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記自動音声応答装置の電話番号と前記ワンタイムパスワードの音信号の出力を利用者が指示するためのアイコンとを表示し，前記アイコンに対する利用者の操作指示に基づいて前記ワンタイムパスワードの音信号を出力し，
　前記第２の通信端末装置は，前記利用者の操作指示に基づいて前記自動音声応答装置の電話番号に発呼して通話回線を確立し，前記第１の通信端末装置から受信した前記ワンタイムパスワードの音信号と前記第２の通信端末装置の端末識別情報とを前記通話回線を介して前記自動音声応答装置に送信し，
　前記自動音声応答装置は，前記第２の通信端末装置から受信した前記ワンタイムパスワードの音信号を復調したワンタイムパスワードと前記第２の通信端末装置からの発信者番号通知から得られた前記第２の通信端末装置の端末識別情報とを前記認証サーバに送信し，
　前記認証サーバは，前記自動音声応答装置から受信した前記ワンタイムパスワードと前記第２の通信端末装置の端末識別情報とに基づいて，前記第１の通信端末装置を操作している利用者について利用者認証を実行する，
ことを特徴とする認証システム。
　　【請求項２】
　利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，を備え，
　前記認証サーバは，予め登録された利用者に対応する識別情報と第２の通信端末装置の端末識別情報とを記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記ワンタイムパスワードの音信号の出力を利用者が指示するためのアイコンを表示し，前記アイコンに対する利用者の操作指示に基づいて前記ワンタイムパスワードの音信号を出力し，
　前記第２の通信端末装置は，前記利用者の操作指示に基づいて，前記第１の通信端末装置から受信した前記ワンタイムパスワードの音信号を復調したワンタイムパスワードと前記第２の通信端末装置の端末識別情報と前記利用者に対応する識別情報とを移動体通信網を介して前記認証サーバに送信し，
　前記認証サーバは，前記第２の通信端末装置から受信した前記ワンタイムパスワードと前記第２の通信端末装置の端末識別情報と前記利用者に対応する識別情報とに基づいて，前記第１の通信端末装置を操作している利用者について利用者認証を実行する，
ことを特徴とする認証システム。
　　【請求項３】
　請求項２の認証システムにおいて，
　前記利用者に対応する識別情報は，前記第２の通信端末装置に組み込まれている認証用アプリケーションを識別する前記利用者に固有のアプリケーション識別情報であることを特徴とする認証システム。
　　【請求項４】
　利用者認証を行う認証システムであって，
　利用者が利用するサービスを提供するＷＥＢサーバと，
　前記サービスについて認証処理を行う認証サーバと，
　ネットワークを介して前記認証サーバと通信する通信機能と音信号を入力可能な音入力機能とを有する第１の通信端末装置と，
　移動体通信網を介して通信する通信機能と音信号を出力する音出力機能とを有する携帯可能な第２の通信端末装置と，を備え，
　前記認証サーバは，予め登録された第２の通信端末装置の端末識別情報を記憶し，前記第１の通信端末装置を操作する利用者についての認証要求に応じて，前記第２の通信端末装置の端末識別情報に対応するワンタイムパスワードを生成し，
　前記第１の通信端末装置は，ワンタイムパスワードの音信号の出力を利用者が指示するためのアイコンを表示し，
　前記第２の通信端末装置は，前記第１の通信端末装置のアイコンに対する利用者の操作指示に基づいて，前記認証サーバとの時刻同期に基づいてワンタイムパスワードを生成し，前記ワンタイムパスワードを符号化したもので搬送波を変調した音信号を出力し，
　前記第１の通信端末装置は，前記第２の通信端末装置から受信した前記ワンタイムパスワードの音信号を前記ＷＥＢサーバに送信し，
　前記ＷＥＢサーバは，前記第２の通信端末装置から受信した音信号から復調した前記ワンタイムパスワードを前記認証サーバに送信し，
　前記認証サーバは，前記ＷＥＢサーバから受信した前記ワンタイムパスワードに基づいて，前記第１の通信端末装置を操作している利用者について利用者認証を実行する，
ことを特徴とする認証システム。
　　【請求項５】
　請求項４の認証システムにおいて，
　前記第１の通信端末装置から前記ＷＥＢサーバへの前記ワンタイムパスワードの音信号の送受信は，ＨＴＭＬ５で規定されているＷｅｂＲＴＣ（Web Real-Time Communication）により行われることを特徴とする認証システム。
　　【請求項６】
　請求項１乃至５のいずれかの認証システムにおいて，
　前記第２の通信端末装置は，
　　前記第２の通信端末装置を操作している利用者について正規の利用者か否かを確認する生体認証を実行し，
　　前記生体認証で正規の利用者であることを確認した場合に，前記自動音声応答装置への発呼，前記自動音声応答装置への前記ワンタイムパスワードの音信号及び前記端末識別情報の送信，前記認証サーバへの前記ワンタイムパスワード，前記端末識別情報及び前記利用者に対応する識別情報の送信，又は，前記ワンタイムパスワードの音信号の出力を実行することを特徴とする認証システム。
　　【請求項７】
　請求項１乃至６のいずれかの認証システムにおいて，
　前記第２の通信端末装置は，
　　前記第２の通信端末装置の現在位置情報に基づいて前記第２の通信端末装置を操作している利用者について正規の利用者か否かを確認する認証を実行し，
　　前記現在位置情報に基づく認証で正規の利用者であることを確認した場合に，前記自動音声応答装置への発呼，前記自動音声応答装置への前記ワンタイムパスワードの音信号及び前記端末識別情報の送信，前記認証サーバへの前記ワンタイムパスワード，前記端末識別情報及び前記利用者に対応する識別情報の送信，又は，前記ワンタイムパスワードの音信号の出力を実行することを特徴とする認証システム。
　　【請求項８】
　請求項１乃至７のいずれかの認証システムにおいて，
　前記ワンタイムパスワードの音信号は，前記ワンタイムパスワードを符号化したもので超音波領域の搬送波を変調した音信号であることを特徴とする認証システム。
　　【請求項９】
　請求項１乃至８のいずれかの認証システムにおいて，
　前記利用者が利用するサービスは，ネットワーク上の電子商取引のサービスであることを特徴とする認証システム。
　　【請求項１０】
　請求項１乃至８のいずれかの認証システムにおいて，
　前記利用者が利用するサービスは，車両に組み込まれたバッテリーの充電サービス，又は，車両に組み込まれた車載器での認証を伴うサービスであることを特徴とする認証システム。」（以下，上記引用の請求項各項を，「補正前の請求項」という）は，
「　【請求項１】
　利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，を備え，
　前記認証サーバは，予め登録された第２の通信端末装置に組み込まれているサウンド認証用アプリケーションを識別する前記利用者に固有のアプリケーション識別情報と第２の通信端末装置の端末識別情報とを記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記認証サーバから前記音信号又はその再生用データ信号を受信するとサウンド認証用アプリケーションを起動し，前記ワンタイムパスワードの音信号の出力を利用者が指示するためのアイコンを表示し，前記アイコンに対する利用者の操作指示に基づいて前記ワンタイムパスワードの音信号を出力し，
　前記第２の通信端末装置は，前記アプリケーション識別情報で識別可能なサウンド認証用アプリケーションにより，前記第１の通信端末装置から出力された前記ワンタイムパスワードの音信号を受信し，前記利用者の操作指示に基づいて，前記第１の通信端末装置から受信した前記ワンタイムパスワードの音信号を復調したワンタイムパスワードと，前記第２の通信端末装置の端末識別情報と，前記利用者に固有のアプリケーション識別情報とを移動体通信網を介して前記認証サーバに送信し，
　前記認証サーバは，前記第２の通信端末装置から受信した前記ワンタイムパスワードと前記第２の通信端末装置の端末識別情報と前記利用者に固有のアプリケーション識別情報とに基づいて，前記第１の通信端末装置を操作している利用者について利用者認証を実行する，
ことを特徴とする認証システム。
　　【請求項２】
　請求項１の認証システムにおいて，
　前記第２の通信端末装置は，
　　前記第２の通信端末装置を操作している利用者について正規の利用者か否かを確認する生体認証を実行し，
　　前記生体認証で正規の利用者であることを確認した場合に，前記認証サーバへの前記ワンタイムパスワード，前記端末識別情報及び前記利用者に固有のアプリケーション識別情報の送信，又は，前記ワンタイムパスワードの音信号の出力を実行することを特徴とする認証システム。
　　【請求項３】
　請求項１又は２の認証システムにおいて，
　前記第２の通信端末装置は，
　　前記第２の通信端末装置の現在位置情報に基づいて前記第２の通信端末装置を操作している利用者について正規の利用者か否かを確認する認証を実行し，
　　前記現在位置情報に基づく認証で正規の利用者であることを確認した場合に，前記認証サーバへの前記ワンタイムパスワード，前記端末識別情報及び前記利用者に固有のアプリケーション識別情報の送信，又は，前記ワンタイムパスワードの音信号の出力を実行することを特徴とする認証システム。
　　【請求項４】
　請求項１乃至３のいずれかの認証システムにおいて，
　前記ワンタイムパスワードの音信号は，前記ワンタイムパスワードを符号化したもので超音波領域の搬送波を変調した音信号であることを特徴とする認証システム。
　　【請求項５】
　請求項１乃至４のいずれかの認証システムにおいて，
　前記利用者が利用するサービスは，ネットワーク上の電子商取引のサービスであることを特徴とする認証システム。
　　【請求項６】
　請求項１乃至４のいずれかの認証システムにおいて，
　前記利用者が利用するサービスは，車両に組み込まれたバッテリーの充電サービス，又は，車両に組み込まれた車載器での認証を伴うサービスであることを特徴とする認証システム。」（以下，上記引用の請求項各項を，「補正後の請求項」という）に補正された。
　
２．補正の適否
（１）新規事項について
　本件手続補正が，特許法第１７条の２第３項の規定を満たすものであるか否か，即ち，本件手続補正が，願書に最初に添付された明細書，特許請求の範囲，及び，図面に記載した事項の範囲内でなされたものであるかについて，以下に検討する。
　
ア．補正事項
　本件手続補正は，補正前の請求項１，補正前の請求項３〜補正前の請求項５を削除し（補正事項１），
　補正前の請求項２に記載の「予め登録された利用者に対応する識別情報と第２の通信端末装置の端末識別情報」を，「予め登録された第２の通信端末装置に組み込まれているサウンド認証用アプリケーションを識別する前記利用者に固有のアプリケーション識別情報と第２の通信端末装置の端末識別情報」と補正し（補正事項２），
　同じく，補正前の請求項２に記載の「前記ワンタイムパスワードの音信号の出力を利用者が指示するためのアイコンを表示し」を，「前記認証サーバから前記音信号又はその再生用データ信号を受信するとサウンド認証用アプリケーションを起動し，前記ワンタイムパスワードの音信号の出力を利用者が指示するためのアイコンを表示し」と補正し（補正事項３），
　同じく，補正前の請求項２に記載の「第２の通信端末装置」が行う事項として，「前記アプリケーション識別情報で識別可能なサウンド認証用アプリケーションにより，前記第１の通信端末装置から出力された前記ワンタイムパスワードの音信号を受信し」を加え（補正事項４），
　同じく，補正前の請求項２に記載の「前記第１の通信端末装置から受信した前記ワンタイムパスワードの音信号を復調したワンタイムパスワードと前記第２の通信端末装置の端末識別情報と前記利用者に対応する識別情報とを移動体通信網を介して前記認証サーバに送信し」を，「前記第１の通信端末装置から受信した前記ワンタイムパスワードの音信号を復調したワンタイムパスワードと，前記第２の通信端末装置の端末識別情報と，前記利用者に固有のアプリケーション識別情報とを移動体通信網を介して前記認証サーバに送信し」と補正し（補正事項５），
　同じく，補正前の請求項２に記載の「前記第２の通信端末装置から受信した前記ワンタイムパスワードと前記第２の通信端末装置の端末識別情報と前記利用者に対応する識別情報とに基づいて」を，「前記第２の通信端末装置から受信した前記ワンタイムパスワードと前記第２の通信端末装置の端末識別情報と前記利用者に固有のアプリケーション識別情報とに基づいて」と補正して（補正事項６），補正後の請求項１とし，
　補正前の請求項６に記載の「前記自動音声応答装置への発呼，前記自動音声応答装置への前記ワンタイムパスワードの音信号及び前記端末識別情報の送信，前記認証サーバへの前記ワンタイムパスワード，前記端末識別情報及び前記利用者に対応する識別情報の送信，又は，前記ワンタイムパスワードの音信号の出力を実行する」を，「前記認証サーバへの前記ワンタイムパスワード，前記端末識別情報及び前記利用者に固有のアプリケーション識別情報の送信，又は，前記ワンタイムパスワードの音信号の出力を実行する」と補正し，引用番号を整理して，補正後の請求項２とし（補正事項７），
　補正前の請求項７に記載の「前記自動音声応答装置への発呼，前記自動音声応答装置への前記ワンタイムパスワードの音信号及び前記端末識別情報の送信，前記認証サーバへの前記ワンタイムパスワード，前記端末識別情報及び前記利用者に対応する識別情報の送信，又は，前記ワンタイムパスワードの音信号の出力を実行する」を，「前記認証サーバへの前記ワンタイムパスワード，前記端末識別情報及び前記利用者に固有のアプリケーション識別情報の送信，又は，前記ワンタイムパスワードの音信号の出力を実行する」と補正し，引用番号を整理して，補正後の請求項３とし（補正事項８），
　補正前の請求項８〜補正前の請求項１０の引用番号を整理して，補正後の請求項４〜補正後の請求項６としたものである（補正事項９）。
　
イ．補正事項についての検討
　上記指摘の本件手続補正における補正事項は，願書に最初に添付された記載の範囲内でなされたものである。
　
ウ．新規事項むすび
　したがって，本件手続補正は，特許法第１７条の２第３項の規定を満たしている。
　
（２）目的要件について
　本件手続補正が，特許法第１７条の２第５項の規定を満たすものであるか否か，即ち，本件手続補正が，特許法第１７条の２第５項に規定する請求項の削除，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものであるかについて，以下に検討する。
　
ア．補正事項についての検討
　上記（１）において指摘した，本件手続補正における，各補正事項は，請求項の削除，及び，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る）を目的とするものである。
　
イ．目的要件むすび
　したがって，本件手続補正は，特許法第１７条の２第５項の規定を満たしている。
　
（３）独立特許要件
　本件手続補正が，特許法第１７条の２第６項において準用する同法第１２６条第７項の規定を満たすものであるか否か，即ち，補正後の請求項に記載されている事項により特定される発明が特許出願の際独立して特許を受けることができるものであるか否か，以下に検討する。
　
ア．補正後の請求項１に係る発明
　補正後の請求項１に係る発明（以下，これを「本件補正発明」という）は，上記「１．補正の内容」において，補正後の請求項１として引用した，次のとおりものである。
　
「利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，を備え，
　前記認証サーバは，予め登録された第２の通信端末装置に組み込まれているサウンド認証用アプリケーションを識別する前記利用者に固有のアプリケーション識別情報と第２の通信端末装置の端末識別情報とを記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記認証サーバから前記音信号又はその再生用データ信号を受信するとサウンド認証用アプリケーションを起動し，前記ワンタイムパスワードの音信号の出力を利用者が指示するためのアイコンを表示し，前記アイコンに対する利用者の操作指示に基づいて前記ワンタイムパスワードの音信号を出力し，
　前記第２の通信端末装置は，前記アプリケーション識別情報で識別可能なサウンド認証用アプリケーションにより，前記第１の通信端末装置から出力された前記ワンタイムパスワードの音信号を受信し，前記利用者の操作指示に基づいて，前記第１の通信端末装置から受信した前記ワンタイムパスワードの音信号を復調したワンタイムパスワードと，前記第２の通信端末装置の端末識別情報と，前記利用者に固有のアプリケーション識別情報とを移動体通信網を介して前記認証サーバに送信し，
　前記認証サーバは，前記第２の通信端末装置から受信した前記ワンタイムパスワードと前記第２の通信端末装置の端末識別情報と前記利用者に固有のアプリケーション識別情報とに基づいて，前記第１の通信端末装置を操作している利用者について利用者認証を実行する，
ことを特徴とする認証システム。」
　
イ．引用文献に記載の事項
（ア）原審における平成２９年４月２６日付けの拒絶理由（以下，これを「原審拒絶理由」という）に引用された，本願の出願前に既に公知である，国際公開第０２／３７３５８号（国際公開日；２００２年５月１０日，以下，これを「引用文献１」という）には，関連する図面と共に，次の事項が記載されている。
　
Ａ．「図１において，１は会社のＬＡＮのサーバ，
２は利用者が自宅等で使用するパーソナルコンピュータ（第一の通信装置）
３は利用者の携帯電話（第二の通信装置）
利用者は，パーソナルコンピュータ２からインターネット５を介して会社のサーバ１へアクセスする
図１において携帯電話３とモデム４との間の電話網の図示は省略されている
　
利用者は，会社のシステムに接続するために，各利用者に固有に付与された利用者番号およびパスワード，並びに認証確認手続きを行うための電話番号（ここでは携帯電話３の電話番号）を，会社のサーバ１の利用者情報記憶部１２に予め登録しておく
　
以下，利用者が，自宅のパーソナルコンピュータ２からサーバ１へのアクセスの認証を受ける際の手順について，図２のフローチャートを参照しながら説明する
　
Ｂ．「
サーバ１では，外部接続部１１が，パーソナルコンピュータ２から送信された利用者番号とパスワードを受け取る。そして，認証処理部１６が，外部接続部１１が受け取った利用者番号およびパスワードと，利用者情報記憶部１２に予め登録されている利用者番号およびパスワードと一致しているかを照会する
　
送信された利用者番号とパスワードが予め登録されている利用者番号およびパスワードと一致していることが確認できたら，認証処理部１６は，乱数発生部１３（確認情報生成部）により乱数を発生させ，その乱数を確認番号（確認情報）として利用者のパーソナルコンピュータ２に送信する（ステップＳ３）。例えば，乱数発生部１３が発生した乱数が　“４７５６”であった場合，利用者のパーソナルコンピュータ２へ確認番号“４７５６”が送信される
　
Ｃ．「
サーバ１の確認番号受信部１５は，利用者からの電話に応答すると，電話網（図示せず）が提供する発信電話番号通知サービスから，発信者の携帯電話３の電話番号（０９０○○○○△△△△）を入手して記憶する
　
Ｄ．「
利用者は，ここで，前述したようにサーバ１からパーソナルコンピュータ２へ送信された確認番号を，携帯電話３のキーを用いて，“４”，“７”，“５”，“６”と入力する
　
確認番号受信部１５は，携帯電話３より確認番号“４７５６”を受信すると，受信した確認番号と，ステップＳ５で入手した携帯電話３の電話番号“０９０○○○○△△△△”を，利用者情報として認証処理部１６へ送る
　
Ｅ．「
認証処理部１６は，確認番号受信部１５より入手した利用者情報（電話番号“０９０○○○○△△△△”および確認番号“４７５６”）と，確認番号記憶部１４に記憶されている電話番号および確認番号がそれぞれ一致することを確認する
　
Ｆ．「(第２の実施形態）
　本発明にかかる第２の実施形態について，以下に説明する。
　図５は，本実施形態に係るオンラインショッピングシステムの概略構成を示すブロック図である。
　サービス利用者は，端末装置２２よりインターネット５を介して，ショッピングサイトを運営するサービス提供者のホームページへアクセスする。このホームページは，前記サービス提供者のサーバ２１によって提供されている。なお，サービス利用者は，自分の氏名，住所，およびメールアドレス等の利用者情報を，サーバ２１の利用者情報記憶部２１２（第一認証要求者情報登録部）に予め登録しておく。
・・・・（中略）・・・・
　図９に示すように，
注文画面の上部には購入商品情報が表示され，画面の下部には「ご注文の確認のために下記の番号に電話をして確認用ＩＤ番号を入力してください」の文字と，電話番号および確認用ＩＤ番号が表示される。この確認用ＩＤ番号は，サービス提供者のサーバ２１の乱数発生部２１６で乱数を発生させて決定され，利用者の端末装置２２にＩＤ番号確認用電話番号とともに送信される
　
（イ）原審拒絶理由に引用された，本願の出願前に既に公知である，米国特許出願公開第２０１２／０１５９６０３号明細書（２０１２年６月２１日公開，以下，これを「引用文献２」という）には，関連する図面と共に，次の事項が記載されている。
　
Ｇ．「[0017] In a second operation 104, an authentication token 204B is sent from the service provider machine 202 to the client machine 204 after receiving the request from the client machine 204. The authentication token 204B can include a variety of data types that are suitable for secure identification and for transfer in some mode by a user 206 from the client machine 204 to a mobile communication device (e.g., cell phone) 208. Typical data types include a text element that can be viewed at the client machine 204 and entered via a keypad at device 208, an audio file that can be played through a speaker at the client machine 204 and captured by a microphone at the device 208, and an image file that can be displayed at the client machine 204 and captured by a camera at the device 208. For example, the text element may be a character-encoded string such as “CODE123”. The audio file may be a sequence of several tones formatted as a Waveform Audio File(WAV). The image file may represent a matrix barcode or two-dimensional code formatted as a Joint Photographic Experts Group(JPEG) file or Portable Document Format(PDF) file. Thus, whatever the capture or input mode employed by the user 206, authentication-token values 208C characterize the authentication token 204B at the mobile device 208.」
（［００１７］　第２の処理１０４において，認証トークン２０４Ｂは，クライアント・マシン２０４からの要求を受信した後，クライアント・マシン２０４へ，サービス・プロバイダ・マシン２０２から送信される。その認証トークン２０４Ｂは，安全な個人識別に適した，及び，クライアント・マシン２０４から，移動通信デバイス（例えば，携帯電話）２０８へ，ユーザ２０６によって，いくつかの方法で転送されるのに適した，様々なデータ型が含まれる。代表的なデータ型は，クライアント・マシン２０４おいて見ることができ，デバイス２０８おいてキーボードを介して入力することができる，テキスト要素，クライアント・マシン２０４においてスピーカを通じて再生することができ，デバイス２０８においてマイクロフォンで捕らえることができる，音声信号ファイル，及び，クライアント・マシン２０４において表示することができ，デバイス２０８においてカメラによって捕らえることができる，画像ファイルを含む。例えば，テキスト要素は，“ＣＯＤＥ１２３”のような，変換された文字列であり得る。音声信号ファイルは，波形音声信号ファイル（ＷＡＶ）としてフォーマット済みの複数の音列であり得る。画像ファイルは，ＪＰＥＧファイル，或いは，ＰＤＦファイルとしてフォーマット済みのマトリックス・バーコード，或いは，２次元コードを意味し得る。それ故，ユーザ２０６によって用いられたキャプチャ，或いは，入力モードが何であっても，認証−トークン２０８Ｃは，移動デバイス２０８において，認証トークン２０４Ｂの特性を示す。当審にて訳出。）
　
（ウ）原審拒絶理由に引用された，本願の出願前に既に公知である，特開２０１３−００３７４６号公報（平成２５年１月７日公開，以下，これを「引用文献３」という）には，関連する図面と共に，次の事項が記載されている。
　
Ｈ．「(57)【要約】
  【課題】音を使ってワンタイムパスワードを送信する認証システムにおいて，高速で精度の高い認証を行うことのできる認証システムを提供する。
  【解決手段】本実施形態に係る認証システム１は，携帯端末１０と，認証端末３０と，認証サーバ５０と，を備え，携帯端末１０は，認証サーバ５０が発行したパスワード生成用ユーザ識別子を含む情報を暗号化してワンタイムパスワードを生成するパスワード生成部２１と，ワンタイムパスワードを符号化してベースバンド信号を生成する符号化部２２と，可聴音帯域の搬送波を生成する搬送波生成部２３と，ベースバンド信号により搬送波を変調して変調波を生成する変調部２５と，変調波を音波として発信するスピーカー１７と，を備え，ワンタイムパスワードが音波として携帯端末１０から認証端末３０へと入力される。」
　
（エ）原審における平成２９年１２月８日付けの拒絶査定（以下，これを「原審拒絶査定」という）において，周知技術を示すために提示された，本願の出願前に既に公知である，特開２００８−１２９７１３号公報（平成２０年６月５日公開，以下，これを「周知文献」という）には，関連する図面と共に，次の事項が記載されている。
　
Ｉ．「【００５６】
　この関連付け用データは，第１のモダリティ112に送信するコンテンツの一部に操作ボタンとしてリンクを貼り付け，これがクリックされると音出力を実行するように構成できる。たとえば，図９に示すように，第１のモダリティ112に送信するコンテンツが「保守点検サービスシステム」のトップページ901であるような場合，このトップページ901の右下に操作ボタン902を設けておき，操作ボタン902の操作を促すための操作案内表示部903によりユーザに操作案内を表示する。もちろん，このような操作ボタン902や操作案内表示部903のレイアウトは図示した例に限定されるものではなく，自由に配置することができ，操作案内表示部903については省略することも可能である。
【００５７】
　ユーザが第２のモダリティ122を介して接続を希望する場合には，第２端末121からサーバ側への接続要求を行い，サーバ側から送信される認証用コンテンツ（この場合，音声により入力を指示するガイダンス）に対して，第１端末111のスピーカから出力される音が第２端末121のマイクに届くように配置し，第１のモダリティ112に表示された操作ボタン902を操作することにより，関連付け用データを利用した連携要求データをサーバ側に送信することが可能となる。」
　
Ｊ．「
」
　
ウ．引用文献１に記載の発明
（ア）上記Ａの「利用者は，会社のシステムに接続するために，各利用者に固有に付与された利用者番号およびパスワード，並びに認証確認手続きを行うための電話番号（ここでは携帯電話３の電話番号）を，会社のサーバ１の利用者情報記憶部１２に予め登録しておく。
　以下，利用者が，自宅のパーソナルコンピュータ２からサーバ１へのアクセスの認証を受ける際の手順について，図２のフローチャートを参照しながら説明する」という記載から，引用文献１には，
“利用者の認証を行うシステム”について記載されていることが読み取れる。
　
（イ）上記Ｂの「サーバ１では，外部接続部１１が，パーソナルコンピュータ２から送信された利用者番号とパスワードを受け取る。そして，認証処理部１６が，外部接続部１１が受け取った利用者番号およびパスワードと，利用者情報記憶部１２に予め登録されている利用者番号およびパスワードと一致しているかを照会する」という記載から，引用文献１において，
“利用者の認証処理を行うサーバ１”であることが読み取れる。
　
（ウ）上記Ａの「２は利用者が自宅等で使用するパーソナルコンピュータ（第一の通信装置）」という記載，同じく，上記Ａの「利用者は，パーソナルコンピュータ２からインターネット５を介して会社のサーバ１へアクセスする」という記載から，引用文献１には，
“インターネット５を介してサーバ１にアクセスするパーソナルコンピュータ２（第一の通信装置）”が記載されていることが読み取れる。
　
（エ）上記Ａの「３は利用者の携帯電話（第二の通信装置）」という記載，及び，同じく，上記Ａの「図１において携帯電話３とモデム４との間の電話網の図示は省略されている」という記載から，引用文献１には，
“携帯通信網を用いて通信する携帯電話３（第二の通信装置）”が記載されていることが読み取れる。
　
（オ）上記（ア）において引用した上記Ａの記載から，引用文献１において，
“サーバ１は，各利用者に固有に付与された利用者番号及びパスワード，並びに認証確認手続を行うための携帯電話３（第二の通信装置）の電話番号を記憶する”ものであることが読み取れ，
　上記Ｂの「送信された利用者番号とパスワードが予め登録されている利用者番号およびパスワードと一致していることが確認できたら，認証処理部１６は，乱数発生部１３（確認情報生成部）により乱数を発生させ，その乱数を確認番号（確認情報）として利用者のパーソナルコンピュータ２に送信する（ステップＳ３）。例えば，乱数発生部１３が発生した乱数が　“４７５６”であった場合，利用者のパーソナルコンピュータ２へ確認番号“４７５６”が送信される。」という記載から，引用文献１において，
“サーバ１の認証処理部１６は，乱数発生部１３（確認情報生成部）により乱数を発生させ，前記乱数を確認番号（確認情報）として，パーソナルコンピュータ２（第一の通信装置）に送信する”ものであることが読み取れ，
　上記（イ）において引用した，上記Ｂの記載から，引用文献１において，「確認番号」を，「パーソナルコンピュータ２（第一の通信装置）」に送信するのは，当該「パーソナルコンピュータ２（第一の通信装置）」から，認証のために「送信された利用者番号とパスワードを受け取」ったことに応答して，即ち，当該「パーソナルコンピュータ２（第一の通信装置）」からの“認証要求”に応答してのことであるから，上記において検討した事項から，引用文献１には，
“サーバ１は，各利用者に固有に付与された利用者番号及びパスワード，並びに認証確認手続を行うための携帯電話３（第二の通信装置）の電話番号を記憶し，
　パーソナルコンピュータ２（第一の通信装置）からの認証要求に応じて，サーバ１の認証処理部１６は，乱数発生部１３（確認情報生成部）により乱数を発生させ，前記乱数を確認番号（確認情報）として，パーソナルコンピュータ２（第一の通信装置）に送信する”ものであることが読み取れる。
　
（カ）上記Ｆの「注文画面の上部には購入商品情報が表示され，画面の下部には「ご注文の確認のために下記の番号に電話をして確認用ＩＤ番号を入力してください」の文字と，電話番号および確認用ＩＤ番号が表示されるこの確認用ＩＤ番号は，サービス提供者のサーバ２１の乱数発生部２１６で乱数を発生させて決定され，利用者の端末装置２２にＩＤ番号確認用電話番号とともに送信される」という記載における「サーバ２１」と，「利用者の端末装置２２」は，それぞれ，例えば，上記Ａに記載の「サーバ１」と，「パーソナルコンピュータ２（第一の通信装置）」と同じものであるから，上記（オ）において検討した事項を踏まえると，引用文献１において，
“パーソナルコンピュータ２（第一の通信装置）は，サーバ１から受信した確認番号を画面に表示する”ものであることが読み取れる。
　
（キ）上記Ｄの「利用者は，ここで，前述したようにサーバ１からパーソナルコンピュータ２へ送信された確認番号を，携帯電話３のキーを用いて，“４”，“７”，“５”，“６”と入力する」という記載と，上記（カ）において検討した事項から，引用文献１において，
“利用者は，パーソナルコンピュータ２（第一の通信装置）の画面に表示された確認番号を，携帯電話３（第二の通信装置）のキーを用いて，前記携帯電話３（第二の通信装置）に入力する”ものであることが読み取れ，
　同じく，上記Ｄの「確認番号受信部１５は，携帯電話３より確認番号“４７５６”を受信すると」という記載と上記において検討した事項から，引用文献１において，
“携帯電話３（第二の通信装置）は，確認番号をサーバ１に送信する”ものであることが読み取れる。
　
（ク）上記Ｃの「サーバ１の確認番号受信部１５は，利用者からの電話に応答すると，電話網（図示せず）が提供する発信電話番号通知サービスから，発信者の携帯電話３の電話番号（０９０○○○○△△△△）を入手して記憶する」という記載と，上記（キ）において引用した上記Ｄの記載，同じく上記Ｄの「受信した確認番号と，ステップＳ５で入手した携帯電話３の電話番号“０９０○○○○△△△△”を，利用者情報として認証処理部１６へ送る」という記載，及び，上記Ｅの「認証処理部１６は，確認番号受信部１５より入手した利用者情報（電話番号“０９０○○○○△△△△”および確認番号“４７５６”）と，確認番号記憶部１４に記憶されている電話番号および確認番号がそれぞれ一致することを確認する」という記載から，引用文献１において，
“サーバ１は，携帯電話３（第二の通信装置）から受信した確認番号と，前記携帯電話３（第二の通信装置）の電話番号とを用いて利用者の認証を行う”ものであることが読み取れる。
　
（ケ）以上，上記（ア）〜（ク）において検討した事項から，引用文献１には，次の発明（以下，これを「引用発明」という）が記載されているものと認める。
　
「利用者の認証を行うシステムであって，
　前記利用者の認証処理を行うサーバ１と，
　インターネット５を介して前記サーバ１にアクセスするパーソナルコンピュータ２（第一の通信装置）と，
　携帯通信網を用いて通信する携帯電話３（第二の通信装置）とを有し，
　前記サーバ１は，各利用者に固有に付与された利用者番号及びパスワード，並びに認証確認手続を行うための前記携帯電話３（第二の通信装置）の電話番号を記憶し，
　前記パーソナルコンピュータ２（第一の通信装置）からの認証要求に応じて，前記サーバ１の認証処理部１６は，乱数発生部１３（確認情報生成部）により乱数を発生させ，前記乱数を確認番号（確認情報）として，前記パーソナルコンピュータ２（第一の通信装置）に送信し，
　前記パーソナルコンピュータ２（第一の通信装置）は，前記サーバ１から受信した前記確認番号を画面に表示し，
　前記利用者は，前記パーソナルコンピュータ２（第一の通信装置）の画面に表示された前記確認番号を，前記携帯電話３（第二の通信装置）のキーを用いて，前記携帯電話３（第二の通信装置）に入力し，
　前記携帯電話３（第二の通信装置）は，前記確認番号を前記サーバ１に送信し，
　前記サーバ１は，前記携帯電話３（第二の通信装置）から受信した前記確認番号と，前記携帯電話３（第二の通信装置）の電話番号とを用いて利用者の認証を行う，システム。」
　
エ．本件補正発明と引用発明との対比
（ア）引用発明における「サーバ１」，「インターネット５」，「パーソナルコンピュータ２（第一の通信装置）」，及び，「携帯電話３（第二の通信装置）」が，
　本件補正発明における「認証サーバ」，「ネットワーク」，「第１の通信端末装置」，及び，「第２の通信端末装置」に相当するので，
　引用発明における「利用者の認証を行うシステム」が，
　本件補正発明における「利用者認証を行う認証システム」に相当し，
　引用発明における「利用者の認証処理を行うサーバ１」と，
　本件補正発明における「利用者が利用するサービスについて認証処理を行う認証サーバ」とは，
“利用者の認証処理を行うサーバ”である点で共通する。
　
（イ）引用発明においても，“インターネット５を介して，パーソナルコンピュータ２は，サーバ１と通信を行う”ものであるから，
　引用発明における「インターネット５を介して前記サーバ１にアクセスするパーソナルコンピュータ２（第一の通信装置）」と，
　本件補正発明における「ネットワークを介して前記認証サーバと通信する通信機能と音信号を出力する音出力機能とを有する第１の通信端末装置」とは，
“ネットワークを介して前記認証サーバと通信する通信機能を有する第１の通信端末装置”である点で共通する。
　
（ウ）引用発明における「携帯通信網」が，本件補正発明における「移動体通信網」に相当するので，
　引用発明における「携帯通信網を用いて通信する携帯電話３（第二の通信装置）」と，
　本件補正発明における「移動体通信網を介して通信する通信機能と音信号を入力可能な音入力機能とを有する携帯可能な第２の通信端末装置」とは，
“移動体通信網を介して通信する通信機能を有する携帯可能な第２の通信端末装置”である点で共通する。
　
（エ）引用発明における「各利用者に固有に付与された利用者番号及びパスワード」と，
　本件補正発明における「予め登録された第２の通信端末装置に組み込まれているサウンド認証用アプリケーションを識別する前記利用者に固有のアプリケーション識別情報」とは，
“利用者を識別するための情報”である点で共通し，
　引用発明における「携帯電話３（第二の通信装置）の電話番号」が，
　本件補正発明における「第２の通信端末装置の端末識別情報」に相当するので，
　引用発明における「サーバ１は，各利用者に固有に付与された利用者番号及びパスワード，並びに認証確認手続を行うための前記携帯電話３（第二の通信装置）の電話番号を記憶し」と，
　本件補正発明における「認証サーバは，予め登録された第２の通信端末装置に組み込まれているサウンド認証用アプリケーションを識別する前記利用者に固有のアプリケーション識別情報と第２の通信端末装置の端末識別情報とを記憶し」とは，
“認証サーバは，予め登録された利用者を識別するための情報と第２の通信端末装置の端末識別情報とを記憶し”である点で共通する。
　
（オ）引用発明における「乱数」は，「認証要求」毎に生成されるものであり，「確認番号（認証情報）」として，「認証」に用いられるものであるから，
　本件補正発明における「ワンタイムパスワード」に相当するので，
　引用発明において，「パーソナルコンピュータ２（第一の通信装置）からの認証要求に応じて，前記サーバ１の認証処理部１６は，乱数発生部１３（確認情報生成部）により乱数を発生させ，前記乱数を確認番号（確認情報）として，前記パーソナルコンピュータ２（第一の通信装置）に送信」することと，
　本件補正発明において，「第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信」することとは，
“第１の通信端末装置を操作する利用者についての認証要求に応じて，前記利用者に対応するワンタイムパスワードを生成し，そのワンタイムパスワードを前記第１の通信端末装置に送信する”ものである点で共通する。
　
（カ）引用発明において，「確認番号」を画面に表示することは，「確認番号」についての「利用者」の次の操作を促すためのものであるから，
　引用発明における「パーソナルコンピュータ２（第一の通信装置）は，前記サーバ１から受信した前記確認番号を画面に表示し」と，
　本件補正発明における「第１の通信端末装置は，前記認証サーバから前記音信号又はその再生用データ信号を受信するとサウンド認証用アプリケーションを起動し，前記ワンタイムパスワードの音信号の出力を利用者が指示するためのアイコンを表示し」とは，
“第１の通信端末装置は，認証サーバからワンタイムパスワードに関する情報を受信すると，利用者の次の操作を促すための表示を行う”点で共通する。
　
（キ）引用発明において，「携帯電話３（第二の通信装置）は，前記確認番号を前記サーバ１に送信」することは，「パーソナルコンピュータ２（第一の通信装置）」に表示された「確認番号」を受け取って行われるものであるから，
　引用発明における「携帯電話３（第二の通信装置）は，前記確認番号を前記サーバ１に送信」することと，
　本件補正発明における「第２の通信端末装置は，前記アプリケーション識別情報で識別可能なサウンド認証用アプリケーションにより，前記第１の通信端末装置から出力された前記ワンタイムパスワードの音信号を受信し，前記利用者の操作指示に基づいて，前記第１の通信端末装置から受信した前記ワンタイムパスワードの音信号を復調したワンタイムパスワードと，前記第２の通信端末装置の端末識別情報と，前記利用者に固有のアプリケーション識別情報とを移動体通信網を介して前記認証サーバに送信」することとは，
“第２の通信端末装置は，第１の通信端末装置からのワンタイムパスワードを認証サーバに送信する”点で共通する。
　
（ク）引用発明における「サーバ１は，前記携帯電話３（第二の通信装置）から受信した前記確認番号と，前記携帯電話機３（第二の通信装置）の電話番号とを用いて利用者の認証を行う」ことと，
　本件補正発明における「認証サーバは，前記第２の通信端末装置から受信した前記ワンタイムパスワードと前記第２の通信端末装置の端末識別情報と前記利用者に固有のアプリケーション識別情報とに基づいて，前記第１の通信端末装置を操作している利用者について利用者認証を実行する」こととは，
“認証サーバは，第２の通信端末装置から受信したワンタイムパスワードと前記第２の通信端末装置の端末識別情報とに基づいて，第１の通信端末装置を操作している利用者について利用者認証を実行する”点で共通する。
　
（ケ）以上，上記（ア）〜（ク）において検討した事項から，本件補正発明と，引用発明との，一致点，及び，相違点は，次のとおりである。
　
［一致点］
　利用者認証を行う認証システムであって，
　利用者の認証処理を行うサーバと，
　ネットワークを介して前記認証サーバと通信する通信機能を有する第１の通信端末装置と，
　移動体通信網を介して通信する通信機能を有する携帯可能な第２の通信端末装置と，を備え，
　前記認証サーバは，予め登録された利用者を識別するための情報と前記第２の通信端末装置の端末識別情報とを記憶し，前記第１の通信端末装置を操作する利用者についての認証要求に応じて，前記利用者に対応するワンタイムパスワードを生成し，そのワンタイムパスワードを前記第１の通信端末装置に送信し，
　前記第１の通信端末装置は，前記認証サーバからワンタイムパスワードに関する情報を受信すると，利用者の次の操作を促すための表示を行い，
　前記第２の通信端末装置は，前記第１の通信端末装置からのワンタイムパスワードを前記認証サーバに送信し，
　前記認証サーバは，前記第２の通信端末装置の端末識別情報と前記第２の通信端末装置から受信したワンタイムパスワードとに基づいて，前記第１の通信端末装置を操作している利用者について利用者認証を実行する，認証システム。
　
［相違点１］
“利用者の認証処理を行う”に関して，
　本件補正発明においては，「利用者が利用するサービスについて認証処理を行う」ものであるのに対して，
　引用発明においては，「サービス」に関する言及がない点。
　
［相違点２］
“第１の通信端末装置”に関して，
　本件補正発明においては，「音信号を出力する音出力機能とを有する」ものであるのに対して，
　引用発明においては，「パーソナルコンピュータ２（第一の通信装置）」が，「音信号を出力する」点についての言及がない点。
　
［相違点３］
“第２の通信端末装置”に関して，
　本件補正発明においては，「音信号を入力可能な音入力機能とを有する」ものであるのに対して，
　引用発明においては，「携帯電話３（第二の通信装置）」が，「音信号を入力可能」である点についての言及がない点。
　
［相違点４］
“予め登録された利用者を識別するための情報”に関して
　本件補正発明においては，「予め登録された第２の通信端末装置に組み込まれているサウンド認証用アプリケーションを識別する前記利用者に固有のアプリケーション識別情報」であるのに対して，
　引用発明においては，そのような「アプリケーション識別情報」に関する言及がない点。
　
［相違点５］
“ワンタイムパスワードを前記第１の通信端末装置に送信し”に関して，
　本件補正発明においては，「ワンタイムパスワードを符号化したもので搬送波を変調した音信号又はその再生用データ信号を前記第１の通信端末装置に送信」するものであるのに対して，
　引用発明においては，「ワンタイムパスワードを符号化したもので搬送波を変調した音信号又はその再生用データ信号」に関する言及がない点。
　
［相違点６］
“第１の通信端末装置は，認証サーバからワンタイムパスワードに関する情報を受信すると”に関して，
　本件補正発明においては，「第１の通信端末装置は，前記認証サーバから前記音信号又はその再生用データ信号を受信するとサウンド認証用アプリケーションを起動」するものであるのに対して，
　引用発明においては，「サウンド認証用アプリケーション」に関する言及がない点。
　
［相違点７］
“表示を行い”に関して，
　本件補正発明においては，「ワンタイムパスワードの音信号の出力を利用者が指示するためのアイコンを表示」するものであるのに対して，
　引用発明においては「アイコンを表示」することに関する言及がない点。
　
［相違点８］
　本件補正発明においては，「アイコンに対する利用者の操作指示に基づいて前記ワンタイムパスワードの音信号を出力し」ているのに対して，
　引用発明においては「音信号を出力」することに関する言及がない点。
　
［相違点９］
“第１の通信端末装置からのワンタイムパスワード”に関して，
　本件補正発明においては，「第２の通信端末装置は，前記アプリケーション識別情報で識別可能なサウンド認証用アプリケーションにより，前記第１の通信端末装置から出力された前記ワンタイムパスワードの音信号を受信」するものであるのに対して，
　引用発明においては，「音信号を受信」することに関する言及がない点。
　
［相違点１０］
“第１の通信端末装置からのワンタイムパスワードを認証サーバに送信し”に関して，
　本件補正発明においては，「第１の通信端末装置から受信した前記ワンタイムパスワードの音信号を復調したワンタイムパスワードと，前記第２の通信端末装置の端末識別情報と，前記利用者に固有のアプリケーション識別情報とを移動体通信網を介して前記認証サーバに送信」するものであるのに対して，
　引用発明においては，「第２の通信端末装置の端末識別情報と，前記利用者に固有のアプリケーション識別情報」を送信することに関する言及がない点。
　
［相違点１１］
“利用者認証を実行する”ことに関して，
　本件補正発明においては，「ワンタイムパスワードと前記第２の通信端末装置の端末識別情報と前記利用者に固有のアプリケーション識別情報とに基づいて」，「利用者認証を実行」しているのに対して，
　引用発明においては，「利用者に固有のアプリケーション識別情報」を認証に用いる点に関する言及がない点。
　
オ．相違点についての当審の判断
（ア）［相違点１］について
　引用発明について，上記Ａに引用した引用文献１の記載内容は，「パーソナルコンピュータ２（第一の通信装置）」が，「サーバ１」へ「アクセス」することの許可のための「認証処理」であるのに対して，上記Ｆに引用した引用文献１の記載内容は，「注文画面」を伴う「ショッピングサイト」での「注文」の可否に関する「認証処理」であるから，引用発明においても，明文の記載はないものの，「利用者が利用するサービスについての認証処理」を行うものである。
　よって，［相違点１］は，実質的な相違点には当たらない。
　
（イ）［相違点２］，［相違点３］，［相違点５］，［相違点６］，［相違点８］，及び，［相違点９］について，
　認証用の情報を音信号として送受信する点については，上記Ｇに引用した引用文献２の記載，及び，上記Ｈに引用した引用文献３の記載にもあるとおり，本願の出願前に当業者には広く知られた技術事項であり，特に，引用文献３には，認証用の情報として「ワンタイムパスワード」を「音信号」に変換した情報を送受信する点についても言及されている。
　引用発明も，引用文献２，引用文献３に記載の技術事項も共に，利用者の認証に関するものであるから，引用発明において，引用文献２，引用文献３に記載の技術事項を採用して，「乱数」を「パーソナルコンピュータ２（第一の通信装置）」に表示し，それを利用者が「携帯電話３（第二の通信装置）」に入力することで，「携帯電話３（第二の通信装置）」に伝えることに換えて，「パーソナルコンピュータ２（第一の通信装置）」に「音声出力機能」を設け（［相違点２］），「携帯電話３（第二の通信装置）」に，「音声入力機能」を設け（［相違点３］），「サーバ１」は，「乱数」を「音信号」に変換できる情報として，「パーソナルコンピュータ２（第一の通信装置）」に送信し（［相違点５］），「パーソナルコンピュータ２（第一の通信装置）」は，受信した「信号」を，「音信号」として出力し（［相違点６］，及び，［相違点８］），「携帯電話３（第二の通信装置）」は，「音信号」を受信して，当該「音信号」を「乱数」に変換して，「サーバ１」に送信する（［相違点９］）よう構成することは，当業者が適宜なし得る事項である。
　よって，［相違点２］，［相違点３］，［相違点５］，［相違点６］，［相違点８］，及び，［相違点９］は，格別のものではない。
　
（ウ）［相違点４］，［相違点１０］，及び，［相違点１１］について
　本件補正発明における「利用者に固有のアプリケーション識別情報」は，当該記載に関して，本願明細書の発明の詳細な説明の段落【００７９】に，
「認証サーバ４４は，第２ユーザ装置１０から受信したワンタイムパスワード，アプリＩＤ及び電話番号と，認証サーバ４４内又は利用者ＤＢ４６に登録されているワンタイムパスワード，アプリＩＤ及び電話番号とに基づいて，第１ユーザ装置１５から利用者認証要求を送信してきた者が，正規の利用者である本人であるか否かを判定する利用者認証処理を実行する」，
　という記載，同じく段落【００８７】に，
「認証サーバ４４は，第２ユーザ装置１０から受信したワンタイムパスワード，アプリＩＤ及び電話番号と，認証サーバ４４内又は利用者ＤＢ４６に登録されているワンタイムパスワード，アプリＩＤ及び電話番号とに基づいて，第１ユーザ装置１５から利用者認証要求を送信してきた者が，正規の利用者である本人であるか否かを判定する利用者認証処理を実行する」，
　という記載が存在し，「アプリＩＤ」について，同じく段落【００７６】に，
「第２ユーザ装置１０で起動するサウンド認証アプリケーションの識別情報であるアプリＩＤ」，
　という記載が存在しているが，当該「アプリＩＤ」についてそれ以上の説明はなされておらず，単に，「利用者」を識別するとして用いられていると解される。
　一方，引用発明においては，「認証」に用いる「携帯電話３（第二の通信装置）」の「電話番号」は，「携帯電話３（第二の通信装置）」から，「サーバ１」に送信されていない。
　しかしながら，認証における安全性を向上させるために，「携帯電話３（第二の通信装置）」の電話番号，及び，“アプリケーションを識別する情報”で，「利用者」，或いは，「携帯電話３（第二の通信装置）」が，識別できるのであれば，それを，認証側に送信するよう構成すること（［相違点４］，及び，［相違点１０］），当該情報を用いて，「サーバ１」において，「利用者」の「認証処理を行う」こと（［相違点１１］）は，当業者が適宜なし得る事項である。
　よって，［相違点４］，［相違点１０］，及び，［相違点１１］は，格別のものではない。
　
（エ）［相違点７］について
　「音出力」操作に関する「アイコン」を表示することは，上記Ｉ，及び，上記Ｊに引用した，周知文献の記載，及び，図面にもあるとおり，本願の出願前に当業者には周知の技術事項に過ぎない。
　引用発明においても，「パーソナルコンピュータ２（第一の通信装置）」において「音出力機能」を付加したとき，「確認番号」の表示に変えて，「利用者」に，「音出力」の操作を促す「アイコン」を表示するよう構成することは，当業者が適宜なし得る事項である。
　よって，［相違点７］は，格別のものではない。
　
カ．独立特許要件むすび
　したがって，本件手続補正は，特許法第１７条の２第６項において準用する同法第１２６条第７項の規定に違反するので，同法第１５９条第１項の規定において読み替えて準用する同法第５３条第１項の規定により却下すべきものである。
　
３．補正却下むすび
　したがって，本件手続補正は，
　特許法第１７条の２第６項において準用する同法第１２６条第７項の規定に違反するので，同法第１５９条第１項の規定において読み替えて準用する同法第５３条第１項の規定により却下すべきものである。
　
　よって，補正却下の決定の結論のとおり決定する。
　
第３．本願発明について
　平成３０年２月１９日付けの手続補正は，上記のとおり却下されたので，本願の請求項２に係る発明（以下，これを「本願発明」という）は，平成２９年７月６日付けの手続補正により補正された特許請求の範囲の請求項２に記載された，上記「第２．平成３０年２月１９日付けの手続補正の却下の決定」の「１．補正の内容」において，補正前の請求項２として引用した，次のとおりのものである。
　
「利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，を備え，
　前記認証サーバは，予め登録された利用者に対応する識別情報と第２の通信端末装置の端末識別情報とを記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記ワンタイムパスワードの音信号の出力を利用者が指示するためのアイコンを表示し，前記アイコンに対する利用者の操作指示に基づいて前記ワンタイムパスワードの音信号を出力し，
　前記第２の通信端末装置は，前記利用者の操作指示に基づいて，前記第１の通信端末装置から受信した前記ワンタイムパスワードの音信号を復調したワンタイムパスワードと前記第２の通信端末装置の端末識別情報と前記利用者に対応する識別情報とを移動体通信網を介して前記認証サーバに送信し，
　前記認証サーバは，前記第２の通信端末装置から受信した前記ワンタイムパスワードと前記第２の通信端末装置の端末識別情報と前記利用者に対応する識別情報とに基づいて，前記第１の通信端末装置を操作している利用者について利用者認証を実行する，
ことを特徴とする認証システム。」
　
第４．引用文献１に記載の発明
　上記「第２．平成３０年２月１９日付けの手続補正の却下の決定」の「２．補正の適否」の「（３）独立特許要件」における「イ．引用文献に記載の事項」において引用文献１として引用された，国際公開第０２／３７３５８号（国際公開日；２００２年５月１０日）には，上記「第２．平成３０年２月１９日付けの手続補正の却下の決定」の「２．補正の適否」の「（３）独立特許要件」における「ウ．引用文献１に記載の発明」において認定された，次の引用発明が記載されている。
　
「利用者の認証を行うシステムであって，
　前記利用者の認証処理を行うサーバ１と，
　インターネット５を介して前記サーバ１にアクセスするパーソナルコンピュータ２（第一の通信装置）と，
　携帯通信網を用いて通信する携帯電話３（第二の通信装置）とを有し，
　前記サーバ１は，各利用者に固有に付与された利用者番号及びパスワード，並びに認証確認手続を行うための前記携帯電話３（第二の通信装置）の電話番号を記憶し，
　前記パーソナルコンピュータ２（第一の通信装置）からの認証要求に応じて，前記サーバ１の認証処理部１６は，乱数発生部１３（確認情報生成部）により乱数を発生させ，前記乱数を確認番号（確認情報）として，前記パーソナルコンピュータ２（第一の通信装置）に送信し，
　前記パーソナルコンピュータ２（第一の通信装置）は，前記サーバ１から受信した前記確認番号を画面に表示し，
　前記利用者は，前記パーソナルコンピュータ２（第一の通信装置）の画面に表示された前記確認番号を，前記携帯電話機３（第二の通信装置）のキーを用いて，前記携帯電話３（第二の通信装置）に入力し，
　前記携帯電話３（第二の通信装置）は，前記確認番号を前記サーバ１に送信し，
　前記サーバ１は，前記携帯電話３（第二の通信装置）から受信した前記確認番号と，前記携帯電話機３（第二の通信装置）の電話番号とを用いて利用者の認証を行う，システム。」
　
第５．本願発明と引用発明との対比
　本願発明は，上記「第２．平成３０年２月１９日付けの手続補正の却下の決定」の「２．補正の適否」の「（１）新規事項について」における「ア．補正事項」において指摘した，本件手続補正において行われた，補正前の請求項２に対する補正事項２〜補正事項６を，本件補正発明から外して，元の補正前の請求項２に記載の構成に戻したものであるから，本願発明と，引用発明との，一致点，及び，相違点は，次のとおりである。
　
［一致点］
　利用者の認証を行うシステムであって，
　利用者の認証処理を行うサーバと，
　ネットワークを介して前記認証サーバと通信する通信機能を有する第１の通信端末装置と，
　移動体通信網を介して通信する通信機能を有する携帯可能な第２の通信端末装置と，を備え，
　前記認証サーバは，予め登録された利用者を識別するための情報と前記第２の通信端末装置の端末識別情報とを記憶し，前記第１の通信端末装置を操作する利用者についての認証要求に応じて，前記利用者に対応するワンタイムパスワードを生成し，そのワンタイムパスワードを前記第１の通信端末装置に送信し，
　前記第１の通信端末装置は，前記認証サーバからワンタイムパスワードに関する情報を受信すると，利用者の次の操作を促すための表示を行い，
　前記第２の通信端末装置は，前記第１の通信端末装置からのワンタイムパスワードを認証サーバに送信し，
　前記認証サーバは，前記第２の通信端末装置の端末識別情報と前記第２の通信端末装置から受信したワンタイムパスワードとに基づいて，前記第１の通信端末装置を操作している利用者について利用者認証を実行する，認証システム。
　
［相違点ａ］
“利用者の認証処理を行う”に関して，
　本願発明においては，「利用者が利用するサービスについて認証処理を行う」ものであるのに対して，
　引用発明においては，「サービス」に関する言及がない点。
　
［相違点ｂ］
“第１の通信端末装置”に関して，
　本願発明においては，「音信号を出力する音出力機能とを有する」ものであるのに対して，
　引用発明においては，「パーソナルコンピュータ２（第一の通信装置）」が，「音信号を出力する」点についての言及がない点。
　
［相違点ｃ］
“第２の通信端末装置”に関して，
　本願発明においては，「音信号を入力可能な音入力機能とを有する」ものであるのに対して，
　引用発明においては，「携帯電話３（第二の通信装置）」が，「音信号を入力可能」である点についての言及がない点。
　
［相違点ｄ］
“ワンタイムパスワードを前記第１の通信端末装置に送信し”に関して，
　本願発明においては，「ワンタイムパスワードを符号化したもので搬送波を変調した音信号又はその再生用データ信号を前記第１の通信端末装置に送信」するものであるのに対して，
　引用発明においては，「ワンタイムパスワードを符号化したもので搬送波を変調した音信号又はその再生用データ信号」に関する言及がない点。
　
［相違点ｅ］
“表示を行い”に関して，
　本願発明においては，「ワンタイムパスワードの音信号の出力を利用者が指示するためのアイコンを表示」するものであるのに対して，
　引用発明においては「アイコンを表示」することに関する言及がない点。
　
［相違点ｆ］
　本願発明においては，「アイコンに対する利用者の操作指示に基づいて前記ワンタイムパスワードの音信号を出力し」ているのに対して，
　引用発明においては「音信号を出力」することに関する言及がない点。
　
［相違点ｇ］
“第１の通信端末装置からのワンタイムパスワードを認証サーバに送信し”に関して，
　本願発明においては，「第１の通信端末装置から受信した前記ワンタイムパスワードの音信号を復調したワンタイムパスワードと前記第２の通信端末装置の端末識別情報と前記利用者に対応する識別情報とを」送信するものであるのに対して，
　引用発明においては，「第２の通信端末装置の端末識別情報」と「利用者に対応する識別情報」を送信することに関する言及がない点。
　
第６．相違点についての当審の判断
１．本願発明と，引用発明との［相違点ａ］〜［相違点ｆ］は，それぞれ，本件補正発明と，引用発明との［相違点１］〜［相違点３］，［相違点５］，「相違点７」，及び，［相違点８］と同等のものであり，本願発明と，引用発明との［相違点ｇ］は，本件補正発明と，引用発明との［相違点１０］とほぼ同等のものであるから，上記「第２．平成３０年２月１９日付けの手続補正の却下の決定」の「２．補正の適否」の「（３）独立特許要件」における「オ．相違点についての当審の判断」において検討したとおり，
　本願発明と，引用発明との［相違点ａ］〜［相違点ｇ］は，格別のものではない。
　
２．以上，１．において検討したとおりであるから，本願発明と，引用発明との［相違点ａ］〜［相違点ｇ］は，格別のものではなく，そして，本願発明の構成によってもたらされる効果も，当業者であれば当然に予測可能なものに過ぎず格別なものとは認められない。
　
第７．本願の請求項１に係る発明について
１．本願の請求項１に係る発明は，平成２９年７月６日付けの手続補正により補正された特許請求の範囲の請求項１に記載された，上記「第２．平成３０年２月１９日付けの手続補正の却下の決定」の「１．補正の内容」において，補正前の請求項１として引用した，次のとおりのものである。
　
「利用者認証を行う認証システムであって，
　利用者が利用するサービスについて認証処理を行う認証サーバと，
　ネットワークを介して前記認証サーバと通信する通信機能と音信号を出力する音出力機能とを有する第１の通信端末装置と，
　移動体通信網を介して通信する通信機能と音信号を入力可能な音入力機能とを有する携帯可能な第２の通信端末装置と，
　ネットワークを介して前記認証サーバと通信する通信機能と移動体通信網を介して前記第２の通信端末装置と通信する通信機能とを有する自動音声応答装置と，を備え，
　前記認証サーバは，予め登録された利用者の第２の通信端末装置の端末識別情報を記憶し，前記第１の通信端末装置を操作する利用者についての認証要求に応じて，前記利用者に対応するワンタイムパスワードを生成し，そのワンタイムパスワードを符号化したもので搬送波を変調した音信号又はその再生用データ信号を前記第１の通信端末装置に送信し，
　前記第１の通信端末装置は，前記自動音声応答装置の電話番号と前記ワンタイムパスワードの音信号の出力を利用者が指示するためのアイコンとを表示し，前記アイコンに対する利用者の操作指示に基づいて前記ワンタイムパスワードの音信号を出力し，
　前記第２の通信端末装置は，前記利用者の操作指示に基づいて前記自動音声応答装置の電話番号に発呼して通話回線を確立し，前記第１の通信端末装置から受信した前記ワンタイムパスワードの音信号と前記第２の通信端末装置の端末識別情報とを前記通話回線を介して前記自動音声応答装置に送信し，
　前記自動音声応答装置は，前記第２の通信端末装置から受信した前記ワンタイムパスワードの音信号を復調したワンタイムパスワードと前記第２の通信端末装置からの発信者番号通知から得られた前記第２の通信端末装置の端末識別情報とを前記認証サーバに送信し，
　前記認証サーバは，前記自動音声応答装置から受信した前記ワンタイムパスワードと前記第２の通信端末装置の端末識別情報とに基づいて，前記第１の通信端末装置を操作している利用者について利用者認証を実行する，
ことを特徴とする認証システム。」
　
２．引用発明
　引用文献１には，上記「第４．引用文献１に記載の発明」おいて指摘したとおりの引用発明が記載されている。
　
３．本願の請求項１に係る発明と引用発明との対比
　本願の請求項１に係る発明は，本願発明に，
「ネットワークを介して前記認証サーバと通信する通信機能と移動体通信網を介して前記第２の通信装置とを通信する通信機能とを有する音声応答装置」という構成を加え，
　本願発明から「予め登録された利用者に対応する識別情報」という構成を削除し，
　本願発明において，「第１の通信端末装置」が，「表示」するものとして，「自動音声応答装置の電話番号」を加え，
　本願発明における「第２の通信端末装置は，前記利用者の操作指示に基づいて，前記第１の通信端末装置から受信した前記ワンタイムパスワードの音信号を復調したワンタイムパスワードと前記第２の通信端末装置の端末識別情報と前記利用者に対応する識別情報とを移動体通信網を介して前記認証サーバに送信し」という構成を，
　「第２の通信端末装置は，前記利用者の操作指示に基づいて前記自動音声応答装置の電話番号に発呼して通話回線を確立し，前記第１の通信端末装置から受信した前記ワンタイムパスワードの音信号と前記第２の通信端末装置の端末識別情報とを前記通話回線を介して前記自動音声応答装置に送信し」という構成に変更し，
　本願発明に，「前記自動音声応答装置は，前記第２の通信端末装置から受信した前記ワンタイムパスワードの音信号を復調したワンタイムパスワードと前記第２の通信端末装置からの発信者番号通知から得られた前記第２の通信端末装置の端末識別情報とを前記認証サーバに送信し」という構成を加え，
　本願発明において，「認証サーバ」が，「第２の通信端末装置」から受信するものから，「利用者に対応する識別情報」を取り除いたものであるから，
　本願の請求項１に係る発明と，引用発明との一致点，及び，相違点は，次のとおりである。
　
［一致点］
　利用者の認証を行うシステムであって，
　利用者の認証処理を行うサーバと，
　ネットワークを介して前記認証サーバと通信する通信機能を有する第１の通信端末装置と，
　移動体通信網を介して通信する通信機能を有する携帯可能な第２の通信端末装置と，を備え，
　前記認証サーバは，予め登録された利用者を識別するための情報と前記第２の通信端末装置の端末識別情報とを記憶し，前記第１の通信端末装置を操作する利用者についての認証要求に応じて，前記利用者に対応するワンタイムパスワードを生成し，そのワンタイムパスワードを前記第１の通信端末装置に送信し，
　前記第１の通信端末装置は，前記認証サーバからワンタイムパスワードに関する情報を受信すると，利用者の次の操作を促すための表示を行い，
　前記第２の通信端末装置は，前記第１の通信端末装置からのワンタイムパスワードを認証サーバに送信し，
　前記認証サーバは，前記第２の通信端末装置の端末識別情報と前記第２の通信端末装置から受信したワンタイムパスワードとに基づいて，前記第１の通信端末装置を操作している利用者について利用者認証を実行する，認証システム。
　
［相違点ア］
“利用者の認証処理を行う”に関して，
　本願の請求項１に係る発明においては，「利用者が利用するサービスについて認証処理を行う」ものであるのに対して，
　引用発明においては，「サービス」に関する言及がない点。
　
［相違点イ］
“第１の通信端末装置”に関して，
　本願の請求項１に係る発明においては，「音信号を出力する音出力機能とを有する」ものであるのに対して，
　引用発明においては，「パーソナルコンピュータ２（第一の通信装置）」が，「音信号を出力する」点についての言及がない点。
　
［相違点ウ］
“第２の通信端末装置”に関して，
　本願の請求項１に係る発明においては，「音信号を入力可能な音入力機能とを有する」ものであるのに対して，
　引用発明においては，「携帯電話３（第二の通信装置）」が，「音信号を入力可能」である点についての言及がない点。
　
［相違点エ］
　本願の請求項１に係る発明は，「ネットワークを介して前記認証サーバと通信する通信機能と移動体通信網を介して前記第２の通信端末装置と通信する通信機能とを有する自動音声応答装置」を有するものであるのに対して，
　引用発明においては，「自動音声応答装置」に関する言及がない点。
　
［相違点オ］
“ワンタイムパスワードを前記第１の通信端末装置に送信し”に関して，
　本願の請求項１に係る発明においては，「ワンタイムパスワードを符号化したもので搬送波を変調した音信号又はその再生用データ信号を前記第１の通信端末装置に送信」するものであるのに対して，
　引用発明においては，「ワンタイムパスワードを符号化したもので搬送波を変調した音信号又はその再生用データ信号」に関する言及がない点。
　
［相違点カ］
“表示を行い”に関して，
　本願の請求項１に係る発明においては，「自動音声応答装置の電話番号と前記ワンタイムパスワードの音信号の出力を利用者が指示するためのアイコンを表示」するものであるのに対して，
　引用発明においては「アイコンを表示」することに関する言及がない点。
　
［相違点キ］
　本願の請求項１に係る発明においては，「アイコンに対する利用者の操作指示に基づいて前記ワンタイムパスワードの音信号を出力し」ているのに対して，
　引用発明においては「音信号を出力」することに関する言及がない点。
　
［相違点ク］
　本願の請求項１に係る発明においては，「第２の通信端末装置は，前記利用者の操作指示に基づいて前記自動音声応答装置の電話番号に発呼して通話回線を確立し，前記第１の通信端末装置から受信した前記ワンタイムパスワードの音信号と前記第２の通信端末装置の端末識別情報とを前記通話回線を介して前記自動音声応答装置に送信」するものであるのに対して，
　引用発明においては，そのような言及がない点。　
　
［相違点ケ］
　本願の請求項１に係る発明においては，「自動音声応答装置は，前記第２の通信端末装置から受信した前記ワンタイムパスワードの音信号を復調したワンタイムパスワードと前記第２の通信端末装置からの発信者番号通知から得られた前記第２の通信端末装置の端末識別情報とを前記認証サーバに送信」するものであるのに対して，
　引用発明においては，そのような言及がない点。
　
４．相違点についての判断
（１）［相違点ア］〜［相違点ウ］，［相違点オ］，［相違点キ］について
　本願の請求項１と引用発明との［相違点ア］〜［相違点ウ］，［相違点オ］，［相違点キ］は，本願発明と引用発明との［相違点ａ］〜［相違点ｄ］，及び，［相違点ｆ］と同じものであるから，上記「第６．相違点についての当審の判断」において検討したとおり，
　本願の請求項１に係る発明と引用発明との［相違点ア］〜［相違点ウ］，［相違点オ］，［相違点キ］は，格別のものではない。
　
（２）［相違点エ］，［相違点カ］，［相違点ク］，及び，［相違点ケ］について
　［相違点エ］，［相違点カ］，［相違点ク］，及び，［相違点ケ］に係る構成は，
　本願発明において，「第２の通信端末装置」が有する「ワンタイムパスワードの音信号を復調」する機能を，「自動音声応答装置」として別体としたものである。
　一方，引用文献１には，上記Ｃに引用した「サーバ１の確認番号受信部１５は，利用者からの電話に応答すると，電話網（図示せず）が提供する発信電話番号通知サービスから，発信者の携帯電話３の電話番号（０９０○○○○△△△△）を入手して記憶する（ステップＳ５）」という記載から，引用発明においても，「サーバ」が，「電話に応答する」機能を有しており，当該構成を，「自動音声応答装置」として別体に設け，当該「音声応答装置」において，「音信号」の「復調」を行うようにすることは，当業者が適宜なし得る事項である。
　よって，本願の請求項１に係る発明と，引用発明との，［相違点エ］，［相違点カ］，［相違点ク］，及び，［相違点ケ］は，格別のものではない。
　
（３）以上，（１），及び，（２）において検討したとおりであるから，本願の請求項１に係る発明と，引用発明との［相違点ア］〜［相違点ケ］は，格別のものではなく，そして，本願の請求項１に係る発明の構成によってもたらされる効果も，当業者であれば当然に予測可能なものに過ぎず格別なものとは認められない。
　
第８．むすび
　したがって，本願発明，及び，本願の請求項１に係る発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。